(57)【要約】【課題】  容易かつ安価に制作することができ、履くことにより下半身にストレッチ効果をもたらし、かつバランス感覚を養うことを可能とした、健康増進およびリハビリテーションに役立つ履物を提供する。【解決手段】  草履あるいはサンダル等の履物底部１において、前記底部の接足面２は、平面、若しくは足裏の形状に合わせた凹凸を有する面であり、前記底部の接地面３は、略中心部６において底部の厚みが最大になるように、爪先部４および踵部５それぞれより略中心部に向かって傾斜をなす。【選択図】  図１
0003107518.tif 000002
【実用新案登録請求の範囲】
【請求項１】
草履あるいはサンダル等の履物底部において、
前記底部の接足面は、平面、若しくは足裏の形状に合わせた凹凸を有する面であり、
前記底部の接地面は、略中心部において底部の厚みが最大になるように、爪先部および踵部それぞれより略中心部に向かって傾斜をなすことを特徴とする健康履物。
【請求項２】
草履あるいはサンダル等の履物底部の接地面において、
前記接地面の踵部から略中心部に向かう傾斜の長さが、爪先部からの傾斜よりも長いことを特徴とする請求項１に記載の健康履物。
【請求項３】
草履あるいはサンダル等の履物の底部の接地面において、
前記接地面の踵部から略中心部に向かう傾斜の長さが、爪先部からの傾斜の長さと均等であることを特徴とする請求項１に記載の健康履物。
【請求項４】
草履あるいはサンダル等の履物底部の接地面において、
前記接地面の略中心部周辺で角度が形成されている部分、若しくは接地面全体にシート状の防滑材を貼付することを特徴とする請求項１から３いずれかに記載の健康履物。
【請求項５】
草履あるいはサンダル等の履物底部において、
前記底部が木材、若しくは切削および穿孔等の加工可能なその他の材で制作されることを特徴とする請求項１から４いずれかに記載の健康履物。
【請求項６】
草履あるいはサンダル等の履物底部において、
前記底部の接足面側を上部、前記底部の接地面側を下部として上下に分割し、
前記上部は、通常の草履あるいはサンダル等の形状とし、
前記下部は、その上面に前記上部を挿入するための挿入口を設け、
前記挿入口より、前記上部および下部の着脱を可能としたことを特徴とする請求項１から５いずれかに記載の健康履物。
【考案の詳細な説明】
【技術分野】
【０００１】
本考案は、履くことにより下半身にストレッチ効果をもたらし、同時にバランス感覚を養うことにより、健康増進あるいはリハビリテーションに役立つ履物を提供する。
【背景技術】
【０００２】
従来より、様々な形状や効果を有する健康増進用履物が知られており、そのうち、履物の全体あるいは一部分の形状を変化させることにより、下肢や下半身の筋肉強化を図るものがある（例えば特許文献１および２）。
【特許文献１】実開平６−６６３０３号公報
【特許文献２】特開２００４−２０２１２８号公報
【０００３】
特許文献１に開示されている考案は、上側履物台と下側履物台とからなり、外底を備えた下側履物台に、中底を備えた上側履物台を踵部を支点として上下に揺動自在に連結することにより、中底が任意の角度で爪先上がりに傾斜するため、これを履いて直立しているだけで下肢の裏側の筋肉やすじを伸ばす運動ができる履物を提供している。
【０００４】
特許文献２に開示されている発明は、履物台下面に凸の半円柱状の突起部を、その履物台の一側縁から他側縁に渡るように設けることにより、爪先立ちした姿勢への移行、あるいは踵立ちした姿勢への移行を容易にかつ安定に行うことができ、ダイエット効果、シェイプアップ効果を効果的に得ることができ、バランス感覚を効果的に養うことができ、さらにはＯ脚の矯正、外反母趾を防止することができる履物を提供している。
【０００５】
しかし、特許文献１に記載の考案による履物は、踵立ちのみであり、爪先立ちを行うことができない。また、構造が複雑で制作に手間とコストがかかるという問題点を有している。
【０００６】
特許文献２に記載の発明による履物は爪先立ちおよび踵立ちの両方が行えるが、鼻緒の他に帯状のカバー部を取り付ける手間がかかる等の問題点を有している。
【考案の開示】
【考案が解決しようとする課題】
【０００７】
以上の現状に鑑み、本考案は、従来品に比し、下半身にストレッチ効果を得るべく爪先立ちおよび踵立ちの両方を行うことを可能とし、かつバランス感覚を養うことを可能とした、容易かつ安価に制作することができる、健康増進およびリハビリテーションに役立つ履物を提供することを目的とする。
【課題を解決するための手段】
【０００８】
請求項１に係る考案は、草履あるいはサンダル等の履物底部において、前記底部の接足面は、平面、若しくは足裏の形状に合わせた凹凸を有する面であり、前記底部の接地面は、略中心部において底部の厚みが最大になるように、爪先部および踵部それぞれより略中心部に向かって傾斜をなすことを特徴とする。
【０００９】
請求項２に係る考案は、草履あるいはサンダル等の履物底部の接地面において、前記接地面の踵部から略中心部に向かう傾斜の長さが、爪先部からの傾斜よりも長いことを特徴とする。
【００１０】
請求項３に係る考案は、草履あるいはサンダル等の履物の底部の接地面において、前記接地面の踵部から略中心部に向かう傾斜の長さが、爪先部からの傾斜の長さと均等であることを特徴とする。
【００１１】
請求項４に係る考案は、草履あるいはサンダル等の履物底部の接地面において、前記接地面の略中心部周辺で角度が形成されている部分、若しくは接地面全体にシート状の防滑材を貼付することを特徴とする。
【００１２】
請求項５に係る考案は、草履あるいはサンダル等の履物底部において、前記底部が木材、若しくは切削および穿孔等の加工可能なその他の材で制作されることを特徴とする。
【００１３】
請求項６に係る考案は、草履あるいはサンダル等の履物底部において、前記底部の接足面側を上部、前記底部の接地面側を下部として上下に分割し、前記上部は、通常の草履あるいはサンダル等の形状とし、前記下部は、その上面に前記上部を挿入するための挿入口を設け、前記挿入口より、前記上部および下部の着脱を可能としたことを特徴とする。
【考案の効果】
【００１４】
以上の通り、本考案による履物は、底部に形成された傾斜を利用することにより、お年寄りやリハビリテーションを必要とする人のような自力では爪先立ちおよび踵立ちが困難な人でも、容易かつ安全に爪先立ちおよび踵立ちを行うことにより下半身ストレッチを実行することができるため、下半身の筋力強化を図ることができる。さらには、底部の両傾斜が略中心部において形成する角で立つことにより、バランス感覚を養うこともできる。
【００１５】
また、本考案による履物は、草履あるいはサンダルの形状をしているため、脱ぎ履きを容易に行うことができ、室内外問わずに使用することが可能である。また、構造が簡潔であり、かつ木材等を切削および穿孔し、鼻緒あるいは甲覆ベルト等の留め具を装着するだけで制作できるため、制作を容易にかつ安価に行うことができる。
【考案を実施するための最良の形態】
【００１６】
以下、図面を参照して本考案の実施の形態について説明する。
図１は、本考案による履物の一実施例を示す概略的斜視図である。ここでは草履状の履物を例示する。履物の底部１の接足面２は、通常の履物と同様、ほぼ平面、若しくは足裏の形状に合わせたゆるやかな凹凸を有する面である。一方、底部１の接地面３は、爪先部４および踵部５それぞれより略中心部６に向かって傾斜をなし、略中心部６において底部１の厚みが最大になるような形状にする。
【００１７】
図２は、図１に示した履物のＡ−Ａ’断面図である。踵部５から略中心部６に向かう傾斜の長さは、爪先部４からの傾斜よりも長い、若しくは爪先部４からの傾斜の長さと均等とする。そのため、本考案による履物底部の横断面は、図２に示す通り、接足面２を最長辺とする略三角形となる。尚、接地面３に形成されるそれぞれの傾斜および略中心部６の角度は、本考案による履物の使用時の安全性が確保できる範囲内とする。
【００１８】
接地面３において、踵部５から略中心部６に向かう傾斜の長さが爪先部４からの傾斜よりも長い場合は、踵立ち時の安定性が良好となるため、本考案による履物を履いたままの歩行が容易かつ安全になるという利点がある。勿論、踵部５からの傾斜の長さは、爪先立ちおよび両傾斜によりに形成される角で立つことが可能な程度であるとする。
【００１９】
一方、踵部５から略中心部６に向かう傾斜の長さを爪先部４からの傾斜の長さと均等にした場合は、爪先および踵のどちらにも重心をかけやすいため、爪先立ちと踵立ちの両方を均等かつ円滑に行うことができるという利点がある。また、両傾斜による角が接地面３のほぼ中心部に形成されるため重心をかけやすく、かつ安定して角で立つことができる。
【００２０】
本考案を草履状の履物として実施する場合、図示の通り、接足面２には鼻緒７を設ける。鼻緒の取付方法は通常の草履と同様である。つまり、紐を接足面２より接地面３に貫入させ、接地面３に設けられた紐固定用孔８において、紐先端を結索あるいは接着剤等を用いて固定させる。
【００２１】
また、本考案はサンダル状の履物にても実施可能である。その場合、鼻緒の代替品として、足の甲を覆うための甲覆ベルトを装着する。
【００２２】
尚、底部１に使用する材は、軽量性と堅固性を具備し、傾斜および鼻緒固定用孔を設ける等の切削および穿孔等の加工が容易に行えるもの、例えば木が好適である。
【００２３】
図３（ａ）および（ｂ）は、図１あるいは図２に示した履物の接地面３にシート状の防滑材９を貼付した第２実施例を示す図である。図３（ａ）は、略中心部６の周辺に防滑材９を貼付した状態を示す。底部に使用する材は、木、若しくは合成樹脂等の堅固性を有するものであるため、履物使用時に転倒、あるいは室内で使用する場合は床や家具を傷つける虞がある。そのため、防滑材９を貼付することにより、使用者の転倒や家具等への損傷を防止することができる。また、使用時の略中央部６の摩耗防止の役割も有する。
【００２４】
図３（ｂ）は、接地面３全体に防滑材９を貼付した状態を示す。接地面３全体に防滑材９を貼付することにより、鼻緒固定用孔８が覆われる。これにより、さらに確実に転倒および家具等への損傷防止を図ることができ、その上、鼻緒の結び目あるいは固定箇所の保護、鼻緒固定用孔８への異物侵入を防止することもできる。さらには、接地面３の美観向上にも役立つ。
【００２５】
シート状防滑材９は、ラバーが最適であるが、防滑性を有し、使用時の安全を確保できる材質であれば、ラバー以外の材を使用してもよい。
【００２６】
図１から図３では、本考案による履物の一体成形型を例示したが、図４（ａ）および（ｂ）では、接足面側を上部、接地面側を下部として分離可能とした第３実施例を示す。
【００２７】
図４（ａ）は、上部１０と下部１１を分離した状態を示す。図示の通り、分離状態においては、上部１０は通常の形状を有する履物となるため、ストレッチ等の運動を行わない時には、上部１０を通常の履物として使用することができる。一方、下部１１には、その上面に挿入口１２を設け、ここに上部１０の底面を挿入することにより、上部１０および下部１１の結合を可能とする。図３（ｂ）は、上部１０を下部１１の挿入口１２に挿入し、一体化した時の状態を示す図である。
【００２８】
図４に示した本考案による履物の分離方法は一実施例であり、容易かつ安全に上部と下部を分離および一体化できる方法であれば、これに限定されるものではない。
【図面の簡単な説明】
【００２９】
【図１】本考案による履物の通常実施例を示す概略的斜視図である。
【図２】図１の履物の概略的Ａ−Ａ’断面図である。
【図３】本考案による第２実施例を示した概略的Ａ−Ａ’断面図である。
【図４】本考案による第３実施例を示した概略的Ａ−Ａ’断面図である。
【符号の説明】
【００３０】
１  底部
２  接足面
３  接地面
４  爪先部
５  踵部
６  略中心部
７  鼻緒
８  紐固定用孔
９  シート状防滑材
１０  分離状態における上部
１１  分離状態における下部
１２  挿入口
【図１】
0003107518.tif 000003
【図２】
0003107518.tif 000004
【図３】
0003107518.tif 000005
【図４】
0003107518.tif 000006